(57)【特許請求の範囲】
【請求項１】
複数の携帯端末と、当該携帯端末と無線通信するホストと、複数の出力装置とを備える情報管理システムにおいて、
前記各携帯端末は、それぞれ異なるＩＤと、バーコードを読み取るバーコードリーダ部と、前記ホストと情報を送受信する無線通信部とを有し、
前記ホストは、物品に関する情報と上記バーコードとを関連つけて格納する物品情報管理マスタと、前記携帯端末のＩＤと前記出力装置のＩＤとを受信することにより、前記各携帯端末のＩＤと前記各出力装置のＩＤとを関連つけて格納する端末管理マスタとを有し、
前記携帯端末の前記バーコードリーダ部により上記物品に貼付されたバーコード情報を読み取ることにより、上記読み取ったバーコード情報及び上記携帯端末のＩＤを前記無線通信部によって前記ホストに送信し、
前記ホストは自動的に上記バーコード情報に該当する物品に関する情報を前記携帯端末の上記ＩＤと関連するＩＤを有する前記出力装置に送信し、前記出力装置は自動的に上記該当する物品に関する情報の出力を行うことを特徴とする情報管理システム。
【発明の詳細な説明】
【０００１】
【発明の属する技術分野】
本発明は、物品などに関する情報を、現場でリアルタイムに管理する情報管理システム及び、前記システムで使用する携帯端末装置に関するものである。
【０００２】
【従来の技術】
図３は従来の情報管理システムの構成図を示す図である。入出力装置は、物品に取付けられたバーコードを読取るバーコードリーダ１８と前記バーコードリーダとケーブルで接続され、数量等のデータを入力するパーソナルコンピュータ１０と、前記パーソナルコンピュータ１０の指示でラベル１２を印刷するラベルプリンタ１１と、ホスト６と無線通信を行う無線通信装置９とから構成される。前記バーコードリーダ１８で情報管理すべき物品に取付けられたバーコードを読取り、前記パーソナルコンピュータ１０で前記物品の数量を入力し、前記無線通信装置９で送信される。前記無線通信装置９で送信されたデータは、無線基地局５で受信され、ホスト６に送られる。前記ホスト６は、前記バーコードデータとそのバーコードが取付けられていた物品の情報が関連付けられ記憶されている情報管理マスタ７を内部に持っており、送られてきたバーコードデータよりそのバーコードが取付けられていた物品の情報を選択し、前記無線基地局機５を通して前記無線通信装置９に送信する。前記無線通信装置９は受信したデータを前記パーソナルコンピュータ１０に送信し、前記パーソナルコンピュータ１０は情報を表示するとともにラベルプリンタ１１でラベル１２を印刷する。
【０００３】
図４は従来の情報管理システムのシステム構成図である。入庫検品作業時はバーコードリーダ１８と前記バーコードリーダと接続されたパーソナルコンピュータ１０及びラベルプリンタ１１とホスト６と無線通信を行う無線通信装置９を使用して作業を行う。情報管理をする物品の棚入れ作業時は、フォークリフト１４に取付けられた表示端末１５と前記表示端末に取付けられたバーコードリーダ１８を使用して作業を行う。
【０００４】
出荷検品作業時は、ＬＡＮ１６に接続されたパ−ソナルコンピュータ１８と前記パーソナルコンピュータ１０と接続されたバーコードリーダ１８及びレシートプリンタ１７を使用して作業を行う。
【０００５】
【発明が解決しようとする課題】
しかしながら、従来の情報管理システムでは、比較的安価で小型な入力装置と比較的高価で大型な出力装置が通信ケーブルで接続されているため、コスト面や設置スペースの関係から、用意できる出力装置の台数に限りがあるため、作業可能な作業者の数は出力装置の数により決まってしまう。そのため、応援などにより、作業者の増員が容易にできないという課題があった。
【０００６】
また、入力装置と出力装置とが通信ケーブルで接続されているため、作業範囲が出力装置の数ｍ以内に限定されるという課題があった。
【０００７】
【課題を解決するための手段】
上記目的を達成するために本発明の第１の情報管理システムは、物品に関する情報を入力する入力手段と無線による信号送信部とを備えた携帯端末装置と、前記携帯端末装置からの送信信号を受信する受信アンテナと、前記受信アンテナからの送信信号を受けるとともに受け取った送信信号に応じた物品発送先等の物品管理情報を発信する情報管理装置と、前記情報管理装置からの前記物品搬送先等の物品管理情報を送信する送信アンテナと、前記送信アンテナからの物品管理情報を出力する出力装置とからなることを特徴とするものである。
【００１１】
【発明の実施の形態】
本発明の第１の情報管理システムによれば、携帯端末装置は無線通信でホストと接続されているため、出力装置と離れた場所で作業が可能になる。
【００１５】
以下に本発明の一実施の形態を、図面を用いて説明する。
【００１６】
図１は本発明の１実施の形態における情報管理システムの最小構成を示す構成図である。携帯端末1は、物品に取付けられたバーコードを読取るバーコードリーダ部２と数量等のデータを入力するキーボート部３と、前記読取ったバーコードデータ、入力されたデータ及び前記携帯端末1のＩＤを無線で通信する無線通信部４とから構成される。前記無線通信部４で送信されたデータは、無線中継機５で受信され、ホスト６に送られる。
【００１７】
前記ホスト６は前記情報管理される物品のバーコードデータとそのバーコードが取付けられていた物品の品番、品名、出荷先等の情報とが予め関連つけられて作成されているテーブルで構成される情報管理マスタ７を内部に有している。
【００１８】
また、前記ホスト６は、作業者が使用する携帯端末1のＩＤと、その携帯端末で情報を読み取った物品のデータが出力される出力装置のＩＤが関連つけて作成されているテーブルで構成される端末マスタ８を内部に有する。
【００１９】
すなわち、携帯端末１で読み取られたバーコードデータが、無線基地局５を介して情報管理マスタ７に送られると、この情報管理マスタ７は送られてきたバーコードデータを用いて、予め作成されているテーブルにより、このバーコードデータがが付されていた物品の品番、品名、出荷先等の情報を検索し、検索した情報を無線基地局を５を介して、無線通信装置９、パーソナルコンピュータ１０、及び、ラベルプリンタ１１から構成される出力装置に送る。パーソナルコンピュータ１０は送られてきた情報を表示し、また、ラベルプリンタ１１この情報を用いてラベル１２を出力する。
【００２０】
また、端末マスタ８は、無線基地局５を介して送信されてきた作業者が使用する携帯端末のＩＤを用いて、予め作成されているテーブルにより、その携帯端末を用いた場合の出力装置を複数ある出力装置から検索し、物品情報管理マスタ７からの情報は、検索によって特定された出力装置から出力される。
【００２１】
また、下記は入庫検品作業時の動作手順を示すものである。
(1)作業者は作業を始める前に、作業を行う場所にあるラベルプリンタ１  １を任意に選択する。
(2)前記選択したラベルプリンタ１１のＩＤを示すＩＤバーコード１３を  バーコードリーダ部２で読取り、携帯端末１に入力する。
(3)携帯端末１から無線通信によりホスト６に携帯端末１のＩＤとラベル  プリンタ１１のＩＤが送られる。
(4)ホスト６内の端末管理マスタ９に前記携帯端末１のＩＤとラベルプリ  ンタ１１のＩＤが登録される。
(5)作業に入り、商品に取付けられたバーコードを携帯端末1で読取り，  入庫数量を入力する。
(6)バーコードデータ，入庫数量及び携帯端末1のＩＤを無線通信により  、ホスト６に送信する。
(7)ホスト６内で、バーコードデータ及び携帯端末１のＩＤを元に、情報  管理マスタ７及び端末管理マスタ８より、前記物品の品名、保管場所  等の物品情報及びラベルプリンタ１１を選択する。
(8)前記商品情報をラベルプリンタ１１の接続されたパーソナルコンピュ  ータ１０に送信する。
(9)パーソナルコンピュータ１０で受信した情報を表示し、ラベルプリン  タ１１に印刷する。
(10)印字されたラベル１２を商品に貼り、格納庫へ移動する。
【００２２】
図２は本発明の１実施の形態における情報管理システムのシステム図を示す図である。上述のシステムを用いて、入庫作業時、棚入れ作業時、出荷検査作業時のそれぞれの場合は、用いられる出力装置が異なるが、それぞれの作業時には、上記した作業手順▲１▼〜▲４▼の作業によって、情報管理マスタ８からの情報を出力する出力装置を選ぶことができる。
【００２３】
作業者は、入庫検品作業時は出力装置としてパーソナルコンピュータ１０とラベルプリンタ１１を用いるが、棚入れ作業時は、フォークリフト１４に取付けられた表示端末１５を出力装置として選択することができ、出荷検品作業時は、ＬＡＮ１６に接続されたレシートプリンタ１７を出力装置として選択することができるため、作業者は携帯端末装置1だけをもち、別の場所または、別の作業に移ることが可能である。
【００２４】
また、複数の携帯端末に１台の出力装置のＩＤを入力することにより、１台の出力装置に複数の携帯端末から出力することが可能である。そのため、作業が遅れている工程に容易に作業者を増員することが可能となる。
【００２５】
また、出力装置から離れた場所でも作業ができるため、物品が大きく移動できない場合等でも、作業員が移動して物品のバーコードを読取ることが可能となる。
【００２６】
【発明の効果】
本発明は、携帯端末により読み取った物品のバーコードと出力装置のＩＤをホストに送信するだけで、当該端末に関連する出力装置に自動的に当該物品に関する情報が出力されるために、キー入力による煩雑さと誤入力がなく、使い勝ってが極めて良い。
【図面の簡単な説明】
【図１】本発明の１実施の形態における情報管理システムの構成図
【図２】本発明の１実施の形態における情報管理システムのシステム図
【図３】従来の情報管理システムの構成図
【図４】従来の情報管理システムのシステム図
【符号の説明】
１．携帯端末
２．バーコードリーダ部
３．キーボード部
４．無線通信部
５．無線基地局
６．ホスト
７．物品情報管理マスタ
８．端末管理マスタ
９．無線通信装置
１０．パーソナルコンピュータ
１１．ラベルプリンタ
１２．ラベル
１３．バーコード
１４．フォークリフト
１５．表示端末
１６．ＬＡＮ
１７．レシートプリンタ
１８．バーコードリーダ
【図１】
0003838007.tif 000002
【図２】
0003838007.tif 000003
【図３】
0003838007.tif 000004
【図４】
0003838007.tif 000005